(57)【要約】【課題】加熱部の設定状態を示す表示手段の冷却構造の簡素化を図るとともに、入力操作と設定状態の確認とが便利な加熱調理器を提供する。【解決手段】トッププレート１２に、２以上の加熱部１３ａ〜１３ｃを設けるとともに、ケース１０の正面一側にロースターユニット１６を設けた加熱調理器において、ケース１０またはトッププレート１２に、加熱部１３ａ〜１３ｃの動作を入力する入力手段（操作ユニット４５）を配設するとともに、トッププレート１２におけるロースターユニット１６と反対側に入力手段による設定状態を表示する表示手段（表示ユニット４２）を設ける。【選択図】図１
2005038717.tif 000002
【特許請求の範囲】
【請求項１】
上面にトッププレートを配設したケースを備え、前記トッププレートに、前記ケース内に配設した加熱手段による２以上の加熱部を設けるとともに、前記ケースの正面一側にロースターユニットを設けた加熱調理器において、
前記ケースまたはトッププレートに、前記加熱部の動作を入力する入力手段を配設するとともに、前記トッププレートにおける前記ロースターユニットと反対側に前記入力手段による設定状態を表示する表示手段を設けたことを特徴とする加熱調理器。
【請求項２】
前記表示手段は、各加熱部に対応して個別の表示パネルを有するように構成され、前記入力手段は、各表示パネルと対応する操作部を略垂直方向に一致するように前記ケースの正面に設けたものであることを特徴とする請求項１に記載の加熱調理器。
【請求項３】
前記ケース内の前記ロースターユニットと反対側に、制御基板および冷却ファンを配設する下方の制御基板配設部と、第１の加熱手段を配設する上方の加熱手段配設部とに仕切る仕切板を設け、
前記仕切板において、前記冷却ファンと第１加熱手段との間に通気口を設け、前記冷却ファンによる送風を前記制御基板を冷却する第１冷却風と前記通気口を通して第１加熱手段を冷却する第２冷却風とに分流するようにしたことを特徴とする請求項１または請求項２に記載の加熱調理器。
【請求項４】
前記仕切板に、上方に配設した第１加熱手段への第２冷却風を前記表示手段を冷却する第３冷却風に更に分流する分流板を設けたことを特徴とする請求項３に記載の加熱調理器。
【請求項５】
前記表示手段を冷却する冷却ファンを配設し、該冷却ファンによる冷却風により、前記ロースターユニットの上方に配設した第２加熱手段を冷却するようにしたことを特徴とする請求項１乃至請求項４のいずれか１項に記載の加熱調理器。
【発明の詳細な説明】
【技術分野】
【０００１】
本発明は、家庭の流し台に設置する加熱調理器に関するものである。
【背景技術】
【０００２】
この種の家庭の台所用の加熱調理器においては、防火安全性の向上を目的として、熱源として火を使わない誘導加熱コイルを用いたものが普及し始めている。また、この加熱調理器としては、台所の流し台内に組み込むようにして設置するビルトインタイプと、流し台上の所定位置に設置する据え置きタイプの２種類のものを有する。
【０００３】
本発明の加熱調理器に関連する先行技術文献情報としては次のものがある。
【０００４】
【特許文献１】特開２００２−３５２９４５号公報
【０００５】
この特許文献１の加熱調理器は、トッププレートにおいて、前方左側と前方右側と後方中央の３箇所に加熱部がそれぞれ形成されるとともに、各加熱部の設定状態を表示するための表示手段が設けられている。前記トッププレートにおける表示手段の配設位置は、比較的広い空間を有する前方中央において、それぞれの加熱部に対応するように３つの表示手段が三角形状をなすように配置している。または、前方において、それぞれ３つの表示手段を横一文字に並べて配置している。
【発明の開示】
【発明が解決しようとする課題】
【０００６】
しかしながら、前記加熱調理器において、左半分の領域にはロースターユニットが配設されているため、その近傍に配設した前記表示手段の冷却機構が複雑になるうえ、組立作業性が悪いという問題がある。また、各加熱部を動作させるための入力手段は、前記ロースターユニットの反対側であるケースの正面右側に配置されるため、入力操作と表示手段による確認とが非常に面倒である。
【０００７】
そこで、本発明では、加熱部の設定状態を示す表示手段の冷却構造の簡素化を図るとともに、入力操作と設定状態の確認とが便利な加熱調理器を提供することを課題とするものである。
【課題を解決するための手段】
【０００８】
前記課題を解決するため、本発明の加熱調理器は、上面にトッププレートを配設したケースを備え、前記トッププレートに、前記ケース内に配設した加熱手段による２以上の加熱部を設けるとともに、前記ケースの正面一側にロースターユニットを設けた加熱調理器において、前記ケースまたはトッププレートに、前記加熱部の動作を入力する入力手段を配設するとともに、前記トッププレートにおける前記ロースターユニットと反対側に前記入力手段による設定状態を表示する表示手段を設けた構成としている。
【０００９】
この加熱調理器では、前記表示手段は、各加熱部に対応して個別の表示パネルを有するように構成され、前記入力手段は、各表示パネルと対応する操作部を略垂直方向に一致するように前記ケースの正面に設けたものであることが好ましい。
【００１０】
また、前記ケース内の前記ロースターユニットと反対側に、制御基板および冷却ファンを配設する下方の制御基板配設部と、第１の加熱手段を配設する上方の加熱手段配設部とに仕切る仕切板を設け、前記仕切板において、前記冷却ファンと第１加熱手段との間に通気口を設け、前記冷却ファンによる送風を前記制御基板を冷却する第１冷却風と前記通気口を通して第１加熱手段を冷却する第２冷却風とに分流することが好ましい。
【００１１】
この場合、前記仕切板に、上方に配設した第１加熱手段への第２冷却風を前記表示手段を冷却する第３冷却風に更に分流する分流板を設けることが好ましい。
【００１２】
または、前記表示手段を冷却する冷却ファンを配設し、該冷却ファンによる冷却風により、前記ロースターユニットの上方に配設した第２加熱手段を冷却することが好ましい。
【発明の効果】
【００１３】
本発明の加熱調理器では、表示手段をロースターユニットと反対側に配置しているため、該ロースターユニットを使用することにより表示手段が異常加熱されることはない。そのため、表示手段の冷却構造の簡素化を図ることができる。
【００１４】
しかも、入力手段は、各表示パネルと対応する操作部を略垂直方向に一致するように前記ケースの正面に設けているため、入力手段による加熱部の動作入力操作と、表示手段による確認動作とを容易に行うことができる。
【００１５】
そして、具体的な冷却構造としては、冷却ファンによる送風を第１冷却風と第２冷却風とに分流し、１つの冷却ファンで制御基板と第１加熱手段とを冷却することができるようにしている。しかも、他の部材の冷却することにより暖かくなった風を利用して他の部品の冷却を行うのではなく、分流により冷たい状態のままの冷却風により各部品を冷却するため、冷却ファンを大型化することなく、確実な冷却効果を得ることができる。
【００１６】
また、第２冷却風を前記表示手段を冷却する第３冷却風に更に分流する分流板を設け、冷たい状態のままの冷却風により冷却できる部品を更に増大させている。そのため、冷却ファンを大型化することなく、確実な冷却効果を得ることができる。
【００１７】
さらに、前記表示手段を冷却する冷却ファンを配設し、該冷却ファンによる冷却風により、前記ロースターユニットの上方に配設した第２加熱手段を冷却するようにし、該第２誘導加熱手段を冷却するための風量を増大させているため、冷却効果を向上できる。
【発明を実施するための最良の形態】
【００１８】
以下、本発明の実施の形態を図面に従って説明する。
図１から図６は、家庭の流し台上に設置する本発明の第１実施形態に係る据え置き型の加熱調理器を示す。この加熱調理器は、３つの加熱部１３ａ，１３ｂ，１３ｃを具備させたもので、ケース１０の内部に、大略、ロースターユニット１６と、基板ボックス２０と、前記ロースターユニット１６の上部を区画する区画板３５と、３つの加熱手段と、表示ユニット４２と、操作ユニット４５とを収容したものである。
【００１９】
前記ケース１０は、図１および図２（Ａ），（Ｂ）に示すように、大略、上端を開口したケース本体１１の上面にガラス製のトッププレート１２と蓋枠１４とを配設したものである。ケース本体１１には、前面の左側にロースターユニット１６の扉１８が位置する開口部が設けられている。また、前面の右側には、開閉可能に装着した操作ユニット４５が位置する開口部が設けられている。前記トッププレート１２は、後述する３つの加熱手段に対応する加熱部１３ａ，１３ｂ，１３ｃを備えている。各加熱部１３ａ〜１３ｃには、図示しない鍋を配置する際の目印となる円形状の模様が設けられている。また、トッププレート１２における前面右側には、表示パネル４４ａ，４４ｂ，４４ｃを透視可能な透明部が設けられている。前記蓋枠１４は、ケース本体１１の上端開口に装着されるもので、トッププレート１２と外周縁を除く部分を露出させる開口部と、吸排気口を構成する開口部とが設けられている。この吸排気口の開口部内には、吸気孔を構成する基板ボックス２０の吸気ダクト３１と、排気口を構成するロースターユニット１６のロースター用排気ダクト１９および本体排気口４９が配設され、その上面には金属製の多孔カバー１５が配設されている。前記本体排気口４９は、後述する冷却ファン２６による分流された冷却風Ｗ１，Ｗ２，Ｗ３を纏めて排気するためのものである。
【００２０】
前記ロースターユニット１６は、金属製のロースターケース１７内にヒータ（図示せず）を配設するとともに、ロースターケース１７の前面に把持部１８ａを備えた扉１８を配設した周知のものである。このロースターケース１７の後部には、内部と連通するＬ字形状のロースター用排気ダクト１９が接続され、該ロースター用排気ダクト１９を介して上側の多孔カバー１５を通して排気するように構成している。
【００２１】
前記基板ボックス２０は、図２、図４および図５に示すように、一対の下ケース２１と上ケース２２とからなる樹脂製のもので、この上ケース２２の上面が、制御基板２５Ａ，２５Ｂおよび冷却ファン２６を配設する下方の制御基板配設部２３と、第１誘導加熱コイル３７を配設する上方の誘導加熱コイル配設部２４とに仕切る仕切板を構成している。
【００２２】
前記制御基板配設部２３は、下ケース２１および上ケース２２のそれぞれ対応する部位から突設した仕切壁２１ａ，２２ａにより、前側の基板配設部と後側のファン配設部とに更に区画されている。ここで、基板配設部は、２枚の制御基板２５Ａ，２５Ｂを上下に所定間隔をもって収容保持するものである。また、ファン配設部は、ドラム状の冷却ファン２６を、その回転軸が左右に向けて水平に延びるように配設するものである。
【００２３】
具体的には、基板配設部には、前記下ケース２１の底より上側に配設する制御基板２５Ａを固定するための複数の支持柱部２７が設けられている。また、前記上ケース２２のロースターユニット１６と対向する側面に膨出部２８が設けられ、この膨出部２８の後側面に排気口２９が設けられている。なお、この膨出部２８の上側は、高温注意表示とコイルリード線の中継を兼ねた中継基板配設部３０とされている。
【００２４】
前記ファン配設部には、前記上ケース２２の後部に、該上ケース２２の上面を貫通するように一体成形された筒状の吸気ダクト３１が設けられ、該吸気ダクト３１を介して上側の多孔カバー１５を通して外気を導入するように構成している。さらにまた、冷却ファン２６と誘導加熱コイルとの間に位置するように、上ケース２２に上向きに膨出する膨出部３２が設けられ、この膨出部３２に外部と連通する通気口３３が設けられている。
【００２５】
前記誘導加熱コイル配設部２４には、配設する第１誘導加熱コイル３７の外周部を覆うとともに、一端を前記通気口３３に配置した分流板３４が上向きに突出するように一体に設けられている。また、この誘導加熱コイル配設部２４の後方には、下向きに窪んだ段部が設けられ、この段部に後述する区画板３５を位置決めするように構成されている。
【００２６】
この基板ボックス２０では、冷却ファン２６による送風を、基板ボックス２０内を通過する第１冷却風Ｗ１と、通気口３３から外部に排出される第２冷却風Ｗ２とに分流するとともに、該第２冷却風Ｗ２を分流板３４によって後述する表示ユニット４２に供給する第３冷却風Ｗ３に更に分流するように構成している。
【００２７】
前記区画板３５は、前記ロースターユニット１６の上部において、前記基板ボックス２０の上面と略面一に配設し、該基板ボックス２０の上面とで上方の加熱手段配設部を区画するものである。この区画板３５には、後部に前記基板ボックス２０の段部に延びる底板３６が設けられている。
【００２８】
３つの加熱手段は、図１および図３に示すように、前記基板ボックス２０上である前方右側に配設した第１誘導加熱コイル３７と、前記区画板３５上である前方左側に配設した第２誘導加熱コイル３８と、前記区画板３５の底板３６上である後方中央に配設した電気ヒータ３９とからなる。ここで、第１誘導加熱コイル３７および第２誘導加熱コイル３８は、高周波電流が通電されることにより、前記トッププレート１２を介して鍋を電磁誘導加熱するものである。前記電気ヒータ３９は、下部と外周部とを断熱性カバー４０により覆った状態でユニット化されたヒータユニットからなるラジアントヒータを適用している。この電気ヒータ３９には、各誘導加熱コイル３７，３８との間を区画して断熱を図る遮熱板４１が配設されている。
【００２９】
前記表示ユニット４２は、図２（Ａ）、図３および図４に示すように、ケース１０において、前記ロースターユニット１６の反対側である前方右側の基板ボックス２０の前方上部に配設され、前記分流板３４によって分流された第３冷却風Ｗ３により冷却されるものである。この表示ユニット４２は、前記分流板３４と連続する略逆台形状の仕切壁４２ａを備えている。この表示ユニット４２は、表示基板４３と、該表示基板４３上に配設した３つの表示手段である表示パネル４４ａ，４４ｂ，４４ｃを備えている。右側に位置する表示パネル４４ａは、前方右側に位置する第１誘導加熱コイル３７の設定状態を表示するものである。中央に位置する表示パネル４４ｂは、後方中央に位置する電気ヒータ３９と、ロースターユニット１６の設定状態を表示するものである。左側に位置する表示パネル４４ｃは、前方左側に位置する第２誘導加熱コイル３８の設定状態を表示するものである。即ち、本実施形態では、トッププレート１２の３つの加熱部１３ａ〜１３ｃに対応するようにそれぞれ個別に表示パネル４４ａ〜４４ｃが設けられ、そのうちの１つにロースターユニット１６の設定状態を組み込んで表示できるように構成している。
【００３０】
入力手段である前記操作ユニット４５は、断面三角形状をなす基体４６を備え、前記表示ユニット４２の下部に位置するように、ケース１０の正面に開閉可能に配設したものである。この操作ユニット４５は、３つの加熱手段３７，３８，３９とロースターユニット１６の動作を入力するもので、前記表示パネル４４ａ，４４ｂ，４４ｃと垂直方向に略一致する３つの操作部４７ａ，４７ｂ，４７ｃを備えている。具体的には、操作部４７ａは、表示パネル４４ａと垂直方向に一致するもので、前方右側の第１誘導加熱コイル３７を動作させるものである。操作部４７ｂは、表示パネル４４ｂと垂直方向に一致するもので、ロースターユニット１６と、後方中央の電気ヒータ３９を動作させるものである。操作部４７ｃは、表示パネル４４ｃと垂直方向に一致するもので、前方左側の第２誘導加熱コイル３８を動作させるものである。なお、この操作ユニット４５には、全ての操作部４７ａ〜４７ｃを操作を不可能とするためのロック操作部４８が設けられている。
【００３１】
このように、本実施形態の加熱調理器では、入力手段である操作ユニット４５の各操作部４７ａ，４７ｂ，４７ｃを表示手段である各表示パネル４４ａ，４４ｂ，４４ｃと垂直方向に一致するように配置しているため、加熱部１３ａ，１３ｂ，１３ｃおよびロースターユニット１６の動作入力操作と、確認動作とを容易に行うことができる。しかも、本実施形態では、操作ユニット４５は、回動可能に配設した断面三角形状の基体４６に各操作部４７ａ〜４７ｃを設け、入力操作をする状態では、各操作部４７ａ〜４７ｃと表示パネル４４ａ〜４４ｃと同一の上方から見るように構成しているため、動作入力操作と確認動作に係る利便性を更に向上することができる。
【００３２】
そして、加熱調理器を動作させると、操作に応じて設定された所定の加熱部１３ａ，１３ｂ，１３ｃの加熱手段およびロースターユニット１６が動作するとともに、冷却ファン２６が動作する。そうすると、図２（Ａ）に示すように、前記基板ボックス２０における吸気ダクト３１から外気を吸引し、前側の基板配設部に向けて送風する。
【００３３】
前記冷却ファン２６による送風は、図示のように、基板ボックス２０の上下にわたって放射状に送出されるため、通気口３３の下端である上ケース２２の上面によって、基板ボックス２０の内部を通過して前記制御基板２５Ａ，２５Ｂを冷却する第１冷却風Ｗ１と、前記通気口３３から基板ボックス２０の外部に送風されて第１誘導加熱コイル３７を冷却する第２冷却風Ｗ２とに分流される。また、この第２冷却風Ｗ２は、図３に示すように、上ケース２２に設けた分流板３４により、基板ボックス２０の前方に配設する表示基板４３を冷却する第３冷却風Ｗ３に更に分流される。
【００３４】
前記基板ボックス２０内に送風された第１冷却風Ｗ１は、図３に波線で示すように、制御基板２５Ａ，２５Ｂの上下を通過してこれらで発生した熱を吸着して冷却した後、排気口２９からケース１０において後向きに排気される。ここで、このケース１０内は、基板ボックス２０の上面と区画板３５とが面一に位置し、上下の領域を完全に区画された状態である。そのため、基板ボックス２０から排気された第１冷却風Ｗ１は、基板ボックス２０と、ロースターユニット１６と、区画板３５の底板３６とで区画された通路内を通過して後方の本体排気口４９から外部に排気される。
【００３５】
前記基板ボックス外に送風された第２冷却風Ｗ２は、基板ボックス２０上に配置された第１誘導加熱コイル３７の周囲を通過して発生した熱を吸着して冷却した後、表示ユニット４２の周壁に衝突して第２誘導加熱コイル３８の方向に流動方向が変更される。そして、後述する第３冷却風Ｗ３と合流して第２誘導加熱コイル３８を冷却した後、ケース１０の後方の本体排気口４９から外部に排気される。
【００３６】
前記分流板３４によって分流された第３冷却風Ｗ３は、分流板３４の外側を通ってケース１０の前方に位置する表示ユニット４２に供給され、表示パネル４４ａ〜４４ｃと表示基板４３との間を通過して冷却した後、第２誘導加熱コイル３８へ供給される。そして、前記第２冷却風Ｗ２と合流して第２誘導加熱コイル３８を冷却した後に本体排気口４９から外部に排気される。
【００３７】
なお、各構成部品のうち、電気ヒータ３９は、遮熱板４１および底板３６により冷却風Ｗ１〜Ｗ３による影響（冷却）は及ばないように構成している。そのため、トッププレート１２を介して鍋を加熱する電気ヒータ３９による加熱に影響が及ぶことを防止できる。
【００３８】
このように構成した加熱調理器では、表示手段である表示パネル４４ａ〜４４ｃをロースターユニット１６と反対側に配置しているため、該ロースターユニットを使用することにより表示手段が異常加熱されることはない。そのため、表示手段の冷却構造の簡素化を図ることができる。
【００３９】
そして、本実施形態では、１つの冷却ファン２６による送風を分流し、制御基板２５Ａ，２５Ｂ、誘導加熱コイル３７，３８および表示ユニット４２を冷却することができる。しかも、第２誘導加熱コイル３８を除く構成部品は、通気口３３および分流板３４により３つに分流された冷却風Ｗ１〜Ｗ３によりそれぞれ冷却される。言い換えれば、他の部品を冷却することにより暖かくなった風を利用して冷却するのではないため、確実な冷却効果を得ることができる。
【００４０】
図７は第２実施形態の加熱調理器を示す。この加熱調理器では、基板ボックス２０の上ケース２２に、表示ユニット４２を冷却するために第２冷却風Ｗ２を第３冷却風Ｗ３に更に分流する分流板３４を設けずに、表示ユニット４２を冷却する専用の冷却ファン５０をケース１０の正面右隅に配設した点で、第１実施形態と相違している。
【００４１】
この第２実施形態では、加熱調理器を動作させると、操作に応じて設定された所定の加熱部１３ａ，１３ｂ，１３ｃの加熱手段およびロースターユニット１６が動作するとともに、冷却ファン２６，５０が動作する。
【００４２】
そして、前記冷却ファン２６による送風は、第１実施形態と同様に、基板ボックス２０の内部を通過して前記制御基板２５Ａ，２５Ｂを冷却する第１冷却風Ｗ１と、前記通気口３３から基板ボックス２０の外部に送風されて第１誘導加熱コイル３７を冷却する第２冷却風Ｗ２とに分流される。
【００４３】
第１冷却風Ｗ１は、制御基板２５Ａ，２５Ｂで発生した熱を吸着して冷却した後、排気口２９からケース１０において後向きに排気される。また、第２冷却風Ｗ２は、基板ボックス２０上に配置された第１誘導加熱コイル３７の熱を吸着して冷却した後、表示ユニット４２の周壁に衝突して第２誘導加熱コイル３８の方向に流動方向が変更され、リレー配設部３０で発生した熱を吸着して冷却した後、後述する第３冷却風Ｗ３’と合流して第２誘導加熱コイル３８を冷却した後、ケース１０から外部に排気される。
【００４４】
また、冷却ファン５０による冷却風Ｗ３’は、直接、表示ユニット４２に供給され、表示パネル４４ａ〜４４ｃと表示基板４３とを冷却した後、第２誘導加熱コイル３８へ供給される。そして、前記第２冷却風Ｗ２と合流して第２誘導加熱コイル３８を冷却した後に外部に排気される。
【００４５】
このように、第２実施形態の加熱調理器では、第１実施形態と同様に加熱部１３ａ，１３ｂ，１３ｃおよびロースターユニット１６の動作入力操作と、確認動作とを容易に行うことができるうえ、表示手段の冷却構造の簡素化を図ることができる。
【００４６】
そして、本実施形態では、冷却ファン２６による送風を分流し、制御基板２５Ａ，２５Ｂと誘導加熱コイル３７とを冷たい状態のままの冷却風Ｗ１，Ｗ２で冷却するとともに、冷却ファン５０によって冷たい状態のままの冷却風Ｗ３’で表示ユニット４２を冷却する。そして、第２誘導加熱コイル３８は、第１実施形態と同様に、第１誘導加熱コイル３７および表示ユニット４２を冷却した冷却風Ｗ２，Ｗ３’を利用して冷却するが、第３冷却風Ｗ３が専用の冷却ファン５０によるものであるため、その風量を増大でき、その結果、冷却効果を向上することができる。
【００４７】
なお、本発明の加熱調理器は、前記実施形態の構成に限定されるものではなく、種々の変更が可能である。
【００４８】
例えば、前記実施形態では、ケース１０内の一部（右側）を、制御基板配設部２３と、第１誘導加熱コイル３７を配設する上方の誘導加熱コイル配設部２４とに仕切る仕切板として上ケース２２の上面を兼用させたが、前記区画板３５のように、単独の板材からなる専用の仕切板を設けてもよい。
【００４９】
また、前記実施形態では、表示手段である表示パネル４４ａ〜４４ｃをトッププレート１２から透視させて上方から見えるように構成したが、ケース１０の正面から露出させて前方から見えるように構成してもよい。
【００５０】
さらに、前記実施形態では、家庭の流し台上に設置する据え置き型の加熱調理器に、本発明の入力手段および表示手段の構成を適用したが、流し台内に組み込むようにして設置するビルトインタイプにも同様に適用可能である。
【００５１】
さらにまた、前記実施形態では、トッププレート１２に３つの加熱手段３７，３８，３９による加熱部１３ａ〜１３ｃを設けたが、誘導加熱コイル３７，３８による２つの加熱部１３ａ，１３ｂのみを設けたものであってもよい。
【００５２】
そして、表示ユニット４２は、第１実施形態では冷却ファン２６による送風を分流した冷却風Ｗ３で冷却し、第２実施形態では専用の冷却ファン５０による冷却風Ｗ３’で冷却したが、図８に示すように、分流板３４と第２の冷却ファン５０の両方を設けて両方の冷却風Ｗ３，Ｗ３’により冷却してもよい。このようにすれば、表示基板４３を冷却するための風量を増大できるため、確実な冷却効果を得ることができるとともに、冷却風Ｗ２と合流した後の第２誘導加熱コイル３８を冷却する効率も向上することができる。
【図面の簡単な説明】
【００５３】
【図１】本発明の加熱調理器を示す斜視図である。
【図２】（Ａ），（Ｂ）は図１の断面図である。
【図３】トッププレートを外した状態の第１実施形態の平面図である。
【図４】トッププレートおよび加熱手段を外した状態の斜視図である。
【図５】基板ボックスおよび区画板の分解斜視図である。
【図６】操作ユニットの操作部を示す正面図である。
【図７】トッププレートを外した状態の第２実施形態の平面図である。
【図８】加熱調理器の変形例を示す平面図である。
【符号の説明】
【００５４】
１０…ケース                    １２…トッププレート
１３ａ〜１３ｃ…加熱部          １６…ロースターユニット
２０…基板ボックス              ２２…上ケース（仕切板）
２３…制御基板配設部            ２４…誘導加熱コイル配設部
２５Ａ，２５Ｂ…制御基板        ２６…冷却ファン
２９…排気口                    ３１…吸気ダクト
３３…通気口                    ３４…分流板
３５…区画板                    ３６…底板
３７…第１誘導加熱コイル        ３８…第２誘導加熱コイル
３９…電気ヒータ                ４０…断熱性カバー
４１…遮熱板                    ４２…表示ユニット
４４ａ〜４４ｃ…表示パネル      ４５…操作ユニット
４７ａ〜４７ｃ…操作部          ５０…冷却ファン
Ｗ１…第１冷却風                Ｗ２…第２冷却風
Ｗ３，Ｗ３’…第３冷却風
【図１】
2005038717.tif 000003
【図２】
2005038717.tif 000004
【図３】
2005038717.tif 000005
【図４】
2005038717.tif 000006
【図５】
2005038717.tif 000007
【図６】
2005038717.tif 000008
【図７】
2005038717.tif 000009
【図８】
2005038717.tif 000010